(57)【要約】【課題】不特定多数の人が利用する屋内施設等において、分煙の精度を向上させて受動喫煙を防止する。【解決手段】分煙空調システム（1）は、禁煙ゾーン（Z1）の空調を行う第１空調装置（10）と、喫煙ゾーン（Z2）の空調を行う第２空調装置（20）とを備えている。第１及び第２空調装置（10,20）の各利用側ユニット（11,21）は、それぞれ屋外に設置され、ダクト（12,13,22,23）を介して室内と接続されている。分煙空調システム（1）に、喫煙ゾーン（Z2）の空気を室外へ排出する排気機構（30）と、禁煙ゾーン（Z1）内の圧力が喫煙ゾーン（Z2）内の圧力よりも高くなるように、第１利用側ユニット（11）に押し込む外気導入ファン（41）とを設ける。【選択図】図２
2014037901.tif 000002
【特許請求の範囲】
【請求項１】
室内の空調を行うと共に該室内を禁煙ゾーン（Z1）と喫煙ゾーン（Z2）とに分煙する分煙空調システムであって、
蒸気圧縮式の冷凍サイクルを行う第１冷媒回路と、該第１冷媒回路に接続された第１利用側熱交換器（11a）を有して屋外に設けられた第１利用側ユニット（11）と上記禁煙ゾーン（Z1）とを接続するダクト（12,13）とを有し、上記禁煙ゾーン（Z1）の空気と外気とを上記第１利用側ユニット（11）に取り込んで所望の温度に調節して上記禁煙ゾーン（Z1）に供給する禁煙側空調装置（10）と、
蒸気圧縮式の冷凍サイクルを行う第２冷媒回路と、該第２冷媒回路に接続された第２利用側熱交換器（21a）を有して屋外に設けられた第２利用側ユニット（21）と上記喫煙ゾーン（Z2）とを接続するダクト（22,23）とを有し、上記喫煙ゾーン（Z2）の空気と外気とを上記第２利用側ユニット（21）に取り込んで所望の温度に調節して上記喫煙ゾーン（Z2）に供給する喫煙側空調装置（20）と、
上記喫煙ゾーン（Z2）の空気を室外へ排出する排気機構（30）と、
上記禁煙ゾーン（Z1）内の圧力が上記喫煙ゾーン（Z2）内の圧力よりも高くなるように、外気を上記第１利用側ユニット（11）に押し込む外気導入ファン（41）とを備えている
ことを特徴とする分煙空調システム。
【請求項２】
請求項１において、
上記禁煙ゾーン（Z1）と上記喫煙ゾーン（Z2）との境界（70）には、垂れ壁（71）が形成されている
ことを特徴とする分煙空調システム。
【請求項３】
請求項１又は２において、
上記禁煙ゾーン（Z1）と上記喫煙ゾーン（Z2）との境界（70）には、什器（2）が設けられている
ことを特徴とする分煙空調システム。
【発明の詳細な説明】
【技術分野】
【０００１】
本発明は、室内の空調と分煙とを行う分煙空調システムに関するものである。
【背景技術】
【０００２】
従来より、不特定多数の人が利用する屋内施設等に、室内の空調と共に分煙を行う給排気システムを設け、非喫煙者が喫煙者のタバコの煙を吸う受動喫煙を防止している（例えば、下記特許文献１を参照）。
【０００３】
特許文献１の給排気システムは、複数の遊技台が表裏にそれぞれ複数取り付けられてなる複数の島が、並列に配列されたパチンコ店に設けられ、給排気装置と、給気ダクトと、給気ファンと、排気ダクトと、排気ファンと、外気用給気ダクトと、外気用給気ファンと、空調機とを備えている。
【０００４】
給排気装置は、各島の間の中程の領域に複数設けられ、真下に空気を吹き出す給気口と、該給気口を挟むように設けられて両側の島付近の空気を吸い込む一対の排気口とをそれぞれ有している。各給気口には、各島の長手方向の外側の外側領域において開口する給気ダクトの他端が接続されている。一方、各排気口には、一端が屋外で開口する排気ダクトの他端が接続されている。外気用給気ダクトは、外気用給気ファンによって屋外の新鮮な空気を外側領域に導くように設けられ、空調機は、外側領域の新鮮な空気を吸い込んで温度調節して各島とその反対側の壁とに向かって吹き出すように設けられている。
【０００５】
上記給排気システムでは、外気用給気ダクトを介して外側領域に取り込まれて空調機において温度調節された新鮮な空気が、給気ファンによって給気ダクトを介して各給気口に導かれ、各給気口から鉛直下方に向かって吹き出される。一方、各島付近の空気は、排気ファンによって排気口に吸い込まれる。このような給排気により、各島の間には、中程の領域において各給気口から鉛直下方に向かい、床に当接して両側の島に沿って上昇する空気流れが形成される。各島付近で発生したタバコの煙は、この空気流れと共に各排気口に吸い込まれて屋外へ排出される。このように、上記給排気システムでは、タバコの煙を空気流れと共に速やかに上昇させて排出することで、非喫煙者が着座する領域に煙が侵入しないように分煙している。
【先行技術文献】
【特許文献】
【０００６】
【特許文献１】特開２０１０−１８１０４６号公報
【発明の概要】
【発明が解決しようとする課題】
【０００７】
しかしながら、上記給排気システムでは、タバコの煙が空気流れと共に上昇する際に、隣席の非喫煙者に降り掛かるおそれがあった。また、タバコの煙を全て排気口に吸い込ませることは不可能であるため、外側領域に至ったタバコの煙が、給気ダクトや空調機を介して各島が配列された領域に吹き出されて非喫煙者に降り掛かるおそれもあった。つまり、上記給排気システムでは、分煙の精度が低く、受動喫煙を防止できなかった。
【０００８】
本発明は、かかる点に鑑みてなされたものであり、その目的は、不特定多数の人が利用する屋内施設等において、分煙の精度を向上させて受動喫煙を防止することにある。
【課題を解決するための手段】
【０００９】
第１の発明は、室内の空調を行うと共に該室内を禁煙ゾーン（Z1）と喫煙ゾーン（Z2）とに分煙する分煙空調システムであって、蒸気圧縮式の冷凍サイクルを行う第１冷媒回路と、該第１冷媒回路に接続された第１利用側熱交換器（11a）を有して屋外に設けられた第１利用側ユニット（11）と上記禁煙ゾーン（Z1）とを接続するダクト（12,13）とを有し、上記禁煙ゾーン（Z1）の空気と外気とを上記第１利用側ユニット（11）に取り込んで所望の温度に調節して上記禁煙ゾーン（Z1）に供給する禁煙側空調装置（10）と、蒸気圧縮式の冷凍サイクルを行う第２冷媒回路と、該第２冷媒回路に接続された第２利用側熱交換器（21a）を有して屋外に設けられた第２利用側ユニット（21）と上記喫煙ゾーン（Z2）とを接続するダクト（22,23）とを有し、上記喫煙ゾーン（Z2）の空気と外気とを上記第２利用側ユニット（21）に取り込んで所望の温度に調節して上記喫煙ゾーン（Z2）に供給する喫煙側空調装置（20）と、上記喫煙ゾーン（Z2）の空気を室外へ排出する排気機構（30）と、上記禁煙ゾーン（Z1）内の圧力が上記喫煙ゾーン（Z2）内の圧力よりも高くなるように、外気を上記第１利用側ユニット（11）に押し込む外気導入ファン（41）とを備えている。
【００１０】
第１の発明では、室内の禁煙ゾーン（Z1）と喫煙ゾーン（Z2）との空調が別個の空調装置（10,20）を用いて個別に行われる。つまり、禁煙ゾーン（Z1）の空気と喫煙ゾーン（Z2）の空気とが空調装置を介して混ざることがない。また、排気機構（30）によって喫煙ゾーン（Z2）の空気が室外へ排出される一方、外気導入ファン（41）によって外気が第１利用側ユニット（11）に押し込まれることにより、禁煙ゾーン（Z1）内の圧力が喫煙ゾーン（Z2）内の圧力よりも高くなる。これにより、禁煙ゾーン（Z1）と喫煙ゾーン（Z2）との境界（70）（以下、単にゾーン境界（70）と称する。）では、禁煙ゾーン（Z1）側から喫煙ゾーン（Z2）側へ空気流れが形成される。その結果、喫煙ゾーン（Z2）で発生したタバコの煙が、ゾーン境界（70）の開口部を介して禁煙ゾーン（Z1）に侵入することがない。そのため、禁煙ゾーン（Z1）にいる非喫煙者にタバコの煙が降り掛かるおそれがない。
【００１１】
第２の発明は、第１の発明において、上記禁煙ゾーン（Z1）と上記喫煙ゾーン（Z2）との境界（70）には、垂れ壁（71）が形成されている。
【００１２】
ところで、分煙を確実に行うためには、禁煙ゾーン（Z1）と喫煙ゾーン（Z2）との圧力差によってゾーン境界（70）において生じる空気流れの風速を所定風速以上とする必要がある。所定風速以上の風速を確保するためには、外気導入ファン（41）による空気の押し込み量を多くしなければならず、消費エネルギーが増大してしまう。
【００１３】
第２の発明では、ゾーン境界（70）に垂れ壁（71）が形成されているため、ゾーン境界（70）の開口面積が小さくなる。これにより、外気導入ファン（41）による空気の押し込み量が同等である場合、垂れ壁（71）を形成しないものに比べて、ゾーン境界（70）における空気流れの風速が速くなる。
【００１４】
第３の発明は、第１又は第２の発明において、上記禁煙ゾーン（Z1）と上記喫煙ゾーン（Z2）との境界（70）には、什器（2）が設けられている。
【００１５】
第３の発明では、ゾーン境界（70）に什器（2）が設けられているため、ゾーン境界（70）の開口面積が小さくなる。これにより、外気導入ファン（41）による空気の押し込み量が同等である場合、什器（2）を設けないものに比べて、ゾーン境界（70）における空気流れの風速が速くなる。
【発明の効果】
【００１６】
第１の発明によれば、室内の禁煙ゾーン（Z1）と喫煙ゾーン（Z2）との空調を別個の空調装置（10,20）を用いて個別に行うこととした。そのため、喫煙ゾーン（Z2）で発生したタバコの煙が空調装置を介して禁煙ゾーン（Z1）に侵入することを阻止することができる。また、喫煙ゾーン（Z2）の空気を室外へ排出する排気機構（30）を設ける一方、禁煙ゾーン（Z1）内の圧力が喫煙ゾーン（Z2）内の圧力よりも高くなるように外気を第１利用側ユニット（11）に押し込む外気導入ファン（41）を設けることとした。そのため、ゾーン境界（70）において禁煙ゾーン（Z1）側から喫煙ゾーン（Z2）側へ向かう空気流れを形成することができる。これにより、喫煙ゾーン（Z2）で発生したタバコの煙がゾーン境界（70）の開口部を介して禁煙ゾーン（Z1）へ侵入することを阻止することができる。このように２つの空調装置（10,20）と排気機構（30）と外気導入ファン（41）とを設けて禁煙ゾーン（Z1）内の圧力を喫煙ゾーン（Z2）内の圧力よりも高くするだけで、２つのゾーン（Z1,Z2）を壁等によって完全に分断することなく、室内における分煙の精度を向上させることができる。従って、禁煙ゾーン（Z1）にいる非喫煙者にタバコの煙が降り掛かるおそれがなく、受動喫煙を防止することができる。
【００１７】
また、第２及び第３の発明によれば、ゾーン境界（70）に垂れ壁（71）や什器（2）を設けて、ゾーン境界（70）の開口面積を小さくしたため、外気導入ファン（41）による空気の押し込み量を多くしなくても、ゾーン境界（70）における空気流れの風速を、分煙可能な風速にすることができる。従って、消費エネルギーを低減することができる。
【図面の簡単な説明】
【００１８】
【図１】図１は、実施形態に係る分煙空調システムが設けられた遊戯室の平面図である。
【図２】図２は、実施形態に係る分煙空調システムの概略構成を示す縦断面図である。
【図３】図３は、実施形態に係る分煙空調システムの給排系統図である。
【発明を実施するための形態】
【００１９】
以下、本発明の実施形態を図面に基づいて詳細に説明する。
【００２０】
図１及び図２に示すように、本実施形態の分煙空調システム（1）は、室内の空調を行うと共に、室内を禁煙ゾーン（Z1）と喫煙ゾーン（Z2）とに分煙するものである。本実施形態では、分煙空調システム（1）は、パチンコ台等の遊技台が複数台ずつ表裏にそれぞれ取り付けられた複数の什器（2）が並列に配列された遊戯室内に設けられている。什器（2）は、禁煙ゾーン（Z1）と喫煙ゾーン（Z2）とにそれぞれ設置されると共に、禁煙ゾーン（Z1）と喫煙ゾーン（Z2）との境界（70）（以下、単にゾーン境界（70）と称する。）にも設置されている。また、本実施形態では、複数の什器（2）は、平面視において長方形状となる直方体状に構成され、長手方向がゾーン境界（70）に沿うように配置されている。
【００２１】
分煙空調システム（1）は、第１空調装置（禁煙側空調装置）（10）と、第２空調装置（喫煙側空調装置）（20）と、排気機構（30）と、外気導入ファン（41）と、制御部（60）とを備えている。
【００２２】
第１空調装置（10）は、冷媒が循環して蒸気圧縮式の冷凍サイクルを行う第１冷媒回路（図示省略）を有し、禁煙ゾーン（Z1）側の空調を行う。具体的には、第１空調装置（10）は、共に屋外に設置される第１熱源側ユニット（図示省略）及び第１利用側ユニット（11）と、第１利用側ユニット（11）と上記禁煙ゾーン（Z1）とを接続する第１吸込ダクト（12）及び第１吹出ダクト（13）とを備えている。
【００２３】
図示を省略するが、第１熱源側ユニットは、上記第１冷媒回路に接続された第１圧縮機、第１室外熱交換器、第１膨張機構等を有している。一方、第１利用側ユニット（11）は、上記第１冷媒回路に接続された第１利用側熱交換器（11a）と、第１ファン（11b）と、第１フィルタ（11c）とを有している。
【００２４】
第１吸込ダクト（12）は、流出端が第１利用側ユニット（11）に接続される一方、流入端が複数に分岐して上記禁煙ゾーン（Z1）の天井に形成された複数の第１吸込口（14）にそれぞれ接続されている。一方、第１吹出ダクト（13）は、流入端が第１利用側ユニット（11）に接続される一方、流出端が複数に分岐して上記禁煙ゾーン（Z1）の天井に形成された複数の第１吹出口（15）にそれぞれ接続されている。本実施形態では、第１吸込口（14）は２つ設けられ、第１吹出口（15）は１５つ設けられている。
【００２５】
また、第１利用側ユニット（11）の吸入側には、外気導入ファン（41）が接続されている。外気導入ファン（41）は、外気を取り込んで第１利用側ユニット（11）の吸入側に押し込むように設けられている。
【００２６】
このような構成により、第１ファン（11b）と外気導入ファン（41）とが駆動されると、各第１吸込口（14）及び第１吸込ダクト（12）を介して禁煙ゾーン（Z1）内の空気が第１利用側ユニット（11）に取り込まれると共に、外気が第１利用側ユニット（11）の吸入側に押し込まれる。第１利用側ユニット（11）の吸入側に流入した室内空気と外気とは、第１フィルタ（11c）を通過後、第１利用側熱交換器（11a）を通過する際に所望の温度に調節される。そして、温度調節後の空気は、第１ファン（11b）により、第１吹出ダクト（13）及び各第１吹出口（15）を介して禁煙ゾーン（Z1）内に吹き出される。
【００２７】
一方、第２空調装置（20）は、冷媒が循環して蒸気圧縮式の冷凍サイクルを行う第２冷媒回路（図示省略）を有し、喫煙ゾーン（Z2）側の空調を行う。具体的には、第２空調装置（20）は、共に屋外に設置される第２熱源側ユニット（図示省略）及び第２利用側ユニット（21）と、第２利用側ユニット（21）と上記喫煙ゾーン（Z2）とを接続する第２吸込ダクト（22）及び第２吹出ダクト（23）とを備えている。
【００２８】
図示を省略するが、第２熱源側ユニットは、上記第２冷媒回路に接続された第２圧縮機、第２室外熱交換器、第２膨張機構等を有している。一方、第２利用側ユニット（21）は、上記第２冷媒回路に接続された第２利用側熱交換器（21a）と、第２ファン（21b）と、第２フィルタ（21c）とを有している。
【００２９】
第２吸込ダクト（22）は、流出端が第２利用側ユニット（21）に接続される一方、流入端が複数に分岐して上記喫煙ゾーン（Z2）の天井に形成された複数の第２吸込口（24）にそれぞれ接続されている。一方、第２吹出ダクト（23）は、流入端が第２利用側ユニット（21）に接続される一方、流出端が複数に分岐して上記喫煙ゾーン（Z2）の天井に形成された複数の第２吹出口（25）にそれぞれ接続されている。本実施形態では、第２吸込口（24）は９つ設けられ、第２吹出口（25）は２８つ設けられている。
【００３０】
また、第２利用側ユニット（21）の吸入側にはダンパ（51）が設けられている。ダンパ（51）は、第２利用側ユニット（21）に流入する外気の流量を調節するように設けられている。
【００３１】
このような構成により、第２ファン（21b）が駆動されると、各第２吸込口（24）及び第２吸込ダクト（22）を介して喫煙ゾーン（Z2）内の空気が第２利用側ユニット（21）に取り込まれると共に、ダンパ（51）を通過して外気が第２利用側ユニット（21）内に取り込まれる。第２利用側ユニット（21）の吸入側に流入した室内空気と外気とは、第２フィルタ（21c）を通過後、第２利用側熱交換器（21a）を通過する際に所望の温度に調節される。そして、温度調節後の空気は、第２吹出ダクト（23）及び各第２吹出口（25）を介して喫煙ゾーン（Z2）内に吹き出される。
【００３２】
排気機構（30）は、図２及び図３に示すように、複数の排気口（31）と、複数の排気ファン（32）と、複数の排気ダクト（33）とを有している。本実施形態では、排気口（31）、排気ファン（32）及び排気ダクト（33）は、それぞれ５つずつ設けられている。
【００３３】
５つの排気口（31）は、喫煙ゾーン（Z2）の天井に設けられている。図１に示すように、５つの排気口（31）は、喫煙ゾーン（Z2）のゾーン境界（70）近傍に、該ゾーン境界（70）に沿って配列されている。より具体的には、５つの排気口（31）は、平面視において、ゾーン境界（70）に設置された複数の什器（2）と重なるような位置に設けられている。また、図２及び図３に示すように、各排気口（31）には、それぞれ一端が屋外において開口する排気ダクト（33）の他端が接続されている。また、各排気ダクト（33）には、１つずつ排気ファン（32）が設けられている。図示は省略するが、本実施形態では、各排気ダクト（33）は、各排気口（31）から５つの排気口（31）の配列方向の片側（例えば、図１の上側）に向かって延び、屋外において開口している。そのため、各排気ダクト（33）の長さは異なっている。このような構成により、各排気ファン（32）が駆動されると、各排気口（31）を介して喫煙ゾーン（Z2）内の空気が各排気ダクト（33）に取り込まれ、屋外へ排出される。
【００３４】
また、ゾーン境界（70）には、垂れ壁（71）が設けられている。本実施形態では、天井高が３．５ｍ程度であり、垂れ壁（71）は１ｍ程度の長さに形成されている。また、各什器（2）は、２ｍ程度の高さに形成されている。そのため、ゾーン境界（70）では、什器（2）が設置された部分では、開口部の高さが１．５ｍ程度となり、什器（2）が設置されていない部分では、開口部の高さが３．５ｍ程度となる。
【００３５】
制御部（60）は、複数の排気ファン（32）と外気導入ファン（41）とを制御するように構成されている。具体的には、制御部（60）は、禁煙ゾーン（Z1）内の圧力が喫煙ゾーン（Z2）内の圧力よりも高くなるように、複数の排気ファン（32）と外気導入ファン（41）とを制御する。さらに、制御部（60）は、各排気ファン（32）を、各排気ダクト（33）の長さの比率に応じた風量となるように制御する。
【００３６】
詳細については後述するが、排気機構（30）と外気導入ファン（41）と制御部（60）とは、禁煙ゾーン（Z1）内の圧力を喫煙ゾーン（Z2）内の圧力よりも高くする圧力調整機構を構成する。
【００３７】
−動作−
第１空調装置（10）及び第２空調装置（20）により、室内の空気温度が所望の温度に調節される。具体的には、第１空調装置（10）は、禁煙ゾーン（Z1）の空気と外気とを第１利用側ユニット（11）に吸い込み、所望の温度に調節して禁煙ゾーン（Z1）に吹き出す。一方、第２空調装置（20）は、喫煙ゾーン（Z2）の空気と外気とを第２利用側ユニット（21）に吸い込み、所望の温度に調節して喫煙ゾーン（Z2）に吹き出す。このように第１空調装置（10）が禁煙ゾーン（Z1）の空調を行う一方、第２空調装置（20）が喫煙ゾーン（Z2）の空調を行うことによって室内の空気温度が所望の温度に調節される。
【００３８】
また、圧力調整機構を構成する外気導入ファン（41）と排気機構（30）と制御部（60）とによって、室内の換気が行われると共に、禁煙ゾーン（Z1）と喫煙ゾーン（Z2）とが分煙される。
【００３９】
具体的には、排気機構（30）の排気ファン（32）が駆動されると、喫煙ゾーン（Z2）の空気が複数の排気口（31）を介して排気ダクト（33）に取り込まれて屋外へ排出される。このとき、喫煙ゾーン（Z2）で発生したタバコの煙が喫煙ゾーン（Z2）の空気と共に屋外へ排出される。排気機構（30）によって喫煙ゾーン（Z2）の空気が排出されると、喫煙ゾーン（Z2）内の圧力が屋外よりも低くなる。これに伴って第２利用側ユニット（21）内の圧力が低下するため、ダンパ（51）を通過して外気が第２利用側ユニット（21）内に流入する。これにより、第２利用側ユニット（21）内では、喫煙ゾーン（Z2）からの空気と外気とが温度調節され、喫煙ゾーン（Z2）に供給される。つまり、喫煙ゾーン（Z2）の空気が排気機構（30）によって排出される一方、外気が第２利用側ユニット（21）を介して喫煙ゾーン（Z2）内に導入されることにより、喫煙ゾーン（Z2）の換気が行われる。
【００４０】
一方、外気導入ファン（41）が駆動されると、外気が第１利用側ユニット（11）内に押し込まれる。これにより、第１ファン（11b）は、温度調節された禁煙ゾーン（Z1）からの空気と押し込まれた外気とを吸い込み、禁煙ゾーン（Z1）に供給する。このように、第１ファン（11b）が禁煙ゾーン（Z1）からの空気だけでなく外気を吸い込むことにより、禁煙ゾーン（Z1）では、第１空調装置（10）による空気の吸い込み量よりも吹き出し量が多くなる。その結果、禁煙ゾーン（Z1）内の圧力が屋外よりも高くなる。このように、外気導入ファン（41）によって禁煙ゾーン（Z1）内の圧力が屋外よりも高くなる一方、排気機構（30）によって喫煙ゾーン（Z2）内の圧力が屋外よりも低くなることにより、禁煙ゾーン（Z1）内の圧力が喫煙ゾーン（Z2）内の圧力よりも高くなる。その結果、ゾーン境界（70）では、禁煙ゾーン（Z1）側から喫煙ゾーン（Z2）側へ空気流れが形成される。この空気流れにより、喫煙ゾーン（Z2）で発生したタバコの煙がゾーン境界（70）の開口部を介して禁煙ゾーン（Z1）へ侵入することが阻止される。つまり、禁煙ゾーン（Z1）と喫煙ゾーン（Z2）とが分煙される。
【００４１】
ところで、本実施形態では、複数の排気口（31）が、ゾーン境界（70）に沿うように配列されている。つまり、複数の排気口（31）は、ゾーン境界（70）との距離が等しくなるように配列されている。そして、制御部（60）により、各排気ファン（32）が、各排気ダクト（33）の長さの比率に応じた風量となるように制御される。その結果、本実施形態では、禁煙ゾーン（Z1）と喫煙ゾーン（Z2）との圧力差によってゾーン境界（70）において生じる空気流れの風速が、該ゾーン境界（70）の開口部において均一になる。つまり、本実施形態では、ゾーン境界（70）に形成される一様な風速の空気流れによって禁煙ゾーン（Z1）と喫煙ゾーン（Z2）とが分煙される。
【００４２】
−実施形態の効果−
本分煙空調システム（1）によれば、室内の禁煙ゾーン（Z1）と喫煙ゾーン（Z2）との空調を別個の空調装置（第１空調装置（10）及び第２空調装置（20））を用いて個別に行うこととした。そのため、喫煙ゾーン（Z2）で発生したタバコの煙が空調装置を介して禁煙ゾーン（Z1）に侵入することを阻止することができる。また、喫煙ゾーン（Z2）の空気を室外へ排出する排気機構（30）を設ける一方、禁煙ゾーン（Z1）内の圧力が喫煙ゾーン（Z2）内の圧力よりも高くなるように外気を第１利用側ユニット（11）に押し込む外気導入ファン（41）を設けることとした。そのため、ゾーン境界（70）において禁煙ゾーン（Z1）側から喫煙ゾーン（Z2）側へ向かう空気流れを形成することができる。これにより、喫煙ゾーン（Z2）で発生したタバコの煙がゾーン境界（70）の開口部を介して禁煙ゾーン（Z1）へ侵入することを阻止することができる。このように２つの空調装置（10,20）と排気機構（30）と外気導入ファン（41）とを設けて禁煙ゾーン（Z1）内の圧力を喫煙ゾーン（Z2）内の圧力よりも高くするだけで、２つのゾーン（Z1,Z2）を壁等によって完全に分断することなく、室内における分煙の精度を向上させることができる。従って、禁煙ゾーン（Z1）にいる非喫煙者にタバコの煙が降り掛かるおそれがなく、受動喫煙を防止することができる。
【００４３】
ところで、分煙を確実に行うためには、禁煙ゾーン（Z1）と喫煙ゾーン（Z2）との圧力差によってゾーン境界（70）において生じる空気流れの風速を、所定風速以上とする必要がある。所定風速以上の風速を確保するためには、外気導入ファン（41）による空気の押し込み量を多くしなければならず、消費エネルギーが増大してしまう。
【００４４】
これに対し、本分煙空調システム（1）では、ゾーン境界（70）に垂れ壁（71）を形成して、ゾーン境界（70）の開口面積を小さくした。そのため、外気導入ファン（41）による空気の押し込み量が同等である場合、垂れ壁（71）を形成しないものに比べて、ゾーン境界（70）における空気流れの風速が速くなる。言い換えると、外気導入ファン（41）による空気の押し込み量を多くしなくても、ゾーン境界（70）における空気流れの風速を、分煙可能な風速にすることができる。従って、消費エネルギーを低減することができる。
【００４５】
また、本分煙空調システム（1）によれば、ゾーン境界（70）に什器（2）を設けて、ゾーン境界（70）の開口面積を小さくしている。そのため、外気導入ファン（41）による空気の押し込み量を多くしなくても、ゾーン境界（70）における空気流れの風速を、分煙可能な風速にすることができる。従って、消費エネルギーを低減することができる。
【００４６】
また、本分煙空調システム（1）によれば、複数の什器（2）が、平面視において長方形状となる直方体状に構成され、長手方向がゾーン境界（70）に沿うように配置されている。これにより、ゾーン境界（70）では、少ない数の什器（2）で開口面積を小さくすることができる。つまり、複数の什器（2）を、長手方向がゾーン境界（70）に直交するように配置することとすると、１つの什器（2）によるゾーン境界（70）の閉塞面積が小さくなるため、より多くの什器（2）をゾーン境界（70）に配置しなければならなくなる。しかし、上述のように、複数の什器（2）を、長手方向がゾーン境界（70）に沿うように配置することにより、１つの什器（2）によるゾーン境界（70）の閉塞面積が大きくなるため、少ない数の什器（2）で開口面積を小さくすることができる。その結果、少ない数の什器（2）で効率よくゾーン境界（70）における空気流れの風速を上げることができる。つまり、什器（2）の形状を利用してゾーン境界（70）における空気流れの風速を効果的に上げることができる。
【００４７】
また、本分煙空調システム（1）によれば、各排気ファン（32）を、各排気ダクト（33）の長さの比率に応じた風量となるように制御している。これにより、各排気ダクト（33）の長さが異なるために、圧力損失が排気ダクト（33）毎に異なるところ、各排気口（31）における排気風量が等しくなる。よって、ゾーン境界（70）において生じる空気流れの風速を均一にすることができる。その結果、ゾーン境界（70）に分煙が実現可能な最小限の風速となる空気流れを形成すればよく、ゾーン境界（70）における空気流れの風速が均一でない場合に比べて、外気導入ファン（41）による空気の押し込み量を低減することができる。よって、消費エネルギーを増大させることなく効率よく分煙を行うことができる。
【００４８】
また、本分煙空調システム（1）では、排気機構（30）と外気導入ファン（41）と制御部（60）とによって、禁煙ゾーン（Z1）内の圧力を喫煙ゾーン（Z2）内の圧力よりも高くする圧力調整機構を構成していた。しかしながら、圧力調整機構の構成はこれに限られない。圧力調整機構は、第２利用側ユニット（21）の吸入側に室外空気を押し込む第２外気導入ファンをさらに備えるものであってもよい。具体的には、第２利用側ユニット（21）の吸入側に、ダンパ（51）の代わりに第２外気導入ファンを設ける。また、制御部（60）を、禁煙ゾーン（Z1）内の圧力が喫煙ゾーン（Z2）内の圧力よりも高くなるように、複数の排気ファン（32）と外気導入ファン（41）と第２外気導入ファンとを制御するように構成する。このように構成することとしても上記実施形態と同様の効果を奏することができる。
【００４９】
なお、以上の実施形態は、本質的に好ましい例示であって、本発明、その適用物、あるいはその用途の範囲を制限することを意図するものではない。
【産業上の利用可能性】
【００５０】
以上説明したように、本発明は、室内の空調と分煙とを行う分煙空調システムについて有用である。
【符号の説明】
【００５１】
１      分煙空調システム
２      什器
１０      第１空調装置（禁煙側空調装置） 
１１      第１利用側ユニット
１１ａ    第１利用側熱交換器
１２      第１吸込ダクト（ダクト）
１３      第１吹出ダクト（ダクト）
２０      第２空調装置（喫煙側空調装置）
２１      第２利用側ユニット
２１ａ    第２利用側熱交換器
２２      第２吸込ダクト（ダクト）
２３      第２吹出ダクト（ダクト）
３０      排気機構
４１      外気導入ファン
７０      ゾーン境界（境界）
７１      垂れ壁
Ｚ１      禁煙ゾーン
Ｚ２      喫煙ゾーン
【図１】
2014037901.tif 000003
【図２】
2014037901.tif 000004
【図３】
2014037901.tif 000005